【事件の表示】
　上記当事者間の登録第５０５１６５７号商標の商標登録無効審判事件について、次のとおり審決する。
【結　論】
　登録第５０５１６５７号の登録を無効とする。
　審判費用は被請求人の負担とする。
【理　由】
１　本件商標  
　本件登録第５０５１６５７号商標（以下「本件商標」という。）は、「トゥルシー」の文字を横書きにしてなり、平成１８年８月２８日に登録出願、第３０類「コーヒー及びココア，コーヒー豆，茶，調味料，香辛料，食品香料（精油のものを除く。），食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，菓子及びパン，即席菓子のもと，アイスクリームのもと，シャーベットのもと，アーモンドペースト，イーストパウダー，こうじ，酵母，ベーキングパウダー，氷，アイスクリーム用凝固剤，家庭用食肉軟化剤，酒かす，ホイップクリーム用安定剤」を指定商品として、同１９年５月１５日に登録査定、同年６月１日に設定登録されたものである。  
　  
２　請求人の主張  
　請求人は、「本件商標の登録を無効とする。審判費用は被請求人の負担とする。」との審決を求め、その理由を要旨次のように述べ、証拠方法として、甲第１号証ないし甲第８号証を提出した。  
（１）無効事由  
　本件商標は、商標法第３条第１項第３号、同法第４条第１項第７号及び同第１６号に該当し、同法第４６条第１項第１号又は同第５号により、無効にすべきものである。  
（２）無効原因  
ア　商標法第３条第１項第３号及び同法第４条第１項第１６号該当性について　  
（ア）トゥルシーについて  
ａ　甲第１号証（「ＫＥＮＫＹＵＳＨＡ’Ｓ　ＮＥＷ　ＥＮＧＬＩＳＨ−ＪＡＰＡＮＥＳＥ　ＤＩＣＴＩＯＮＡＲＹ　新英和大辞典　第六版」２００２年３月、株式会社研究社発行）には、ｔｕｌｓｉ（称呼「トゥルシー」）がカミメボウキ（シソ科メボウキ属の植物）を表すものとして記載されている。  
ｂ　甲第２号証（西岡直樹著「インド花綴り」１９８８年７月１日、木犀社発行）には、トゥルスィー（カミメボウキ）は、ヒンドゥー教のもっとも神聖な植物の名前と記載されるとともに、日本語名カミメボウキ　神目箒〔シソ科〕（ヒ、べ）Ｔｕｌｓｉ（サ）Ｔｕｌａｓｉと記載されており、香料として紅茶に入れられたり、薬として用いられる旨が記載されている。  
ｃ　甲第３号証（「Ｍｅｄｉｃｉｎａｌ　ｐｌａｎｔｓ　ｉｎ　Ｖｉｅｔ　Ｎａｍ」１９９０年、Ｗｏｒｌｄ　Ｈｅａｌｔｈ　Ｏｒｇａｎｉｚａｔｉｏｎ　Ｉｎｓｔｉｔｕｔｅ　ｏｆ　Ｍａｔｅｒｉａ　Ｍｅｄｉｃａ）には、ｔｕｌｓｉはＯｃｉｍｕｍ　Ｓａｎｃｔｕｍ　Ｌ．（カミメボウキ）の英語名と記載されるとともに、煎じて飲む、沸騰したお湯で煮だしたものを飲む旨が記載されている。  
ｄ　甲第４号証（「Ｉｎｄｉａｎ　Ｍｅｄｉｃｉｎａｌ　Ｐｌａｎｔｓ」１９９５年、Ｏｒｉｅｎｔ　Ｌｏｎｇｍａｎ　Ｌｉｍｉｔｅｄ）には、ｔｕｌｓｉはＯｃｉｍｕｍ　ｔｅｎｕｉｆｌｏｒｕｍ　Ｌｉｎｎ．（カミメボウキ）のヒンドゥー語名と記載されるとともに、薬として用いられる旨が記載されている。  
ｅ　甲第５号証（トリローク・チャンドラ・マジュプリア著　西岡直樹訳「ネパール・インドの聖なる植物＜新装版＞」１９９６年９月３０日、（株）八坂書房発行）には、トゥラシーｔｕｌａｓｉはカミメボウキのサンスクリット語名である旨が記載されるとともに、煎じて飲用する等の用法で薬として飲食される旨が記載されている。  
（イ）上記のように、本件商標は、「ｔｕｌｓｉ」の称呼を片仮名で表したものであって、カミメボウキ（和名）という植物の名称である。そして、この植物は香料や薬として用いられ、あるいは、茶のように煎じて飲まれている（甲第２号証ないし甲第５号証）。また、「トゥルシー」は、これを原材料とする茶として日本国内で流通している（甲第６号証）。なお、茶の賞味期限は、２年間に設定されたものが多く、甲第６号証の賞味期限が２００９年（平成２１年）１月１０日と記載されていることから、「トゥルシー茶」は、平成１９年１月１０日前後にすでに日本国内で流通していたことが推測される。さらに、トゥルシーを含有することをうたった健康食品が少なくとも平成１６年９月２１日において日本国内で流通していた（甲第７号証）。（ウ）このため、「トゥルシー」は、本件商標の指定商品のうち、「トゥルシーを原材料とするコーヒー及びココア，茶，食品香料（精油のものを除く。）」の原材料を普通に用いられる方法で表示する標章のみからなる商標であるので、本件商標は、商標法第３条第１項第３号に該当する。また、本件商標は、その指定商品のうち、「トゥルシーを原材料としないコーヒー及びココア，茶，食品香料（精油のものを除く。）」に本件商標を使用すると、これらの商品にもトゥルシーが原材料として使用されているかのように、商品の品質の誤認を生ずるおそれがあるため、同法第４条第１項第１６号に該当する。  
　また、香草や薬草は飲食物等に添加されることが需要者において通常に行われている（例えば、香草あるいは薬草として知られるバジルはイタリア料理などに用いられている。）ことからすれば、その他の指定商品「調味料，香辛料，食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，菓子及びパン，即席菓子のもと，アイスクリームのもと，シャーベットのもと，アーモンドペースト，イーストパウダー，こうじ，酵母，ベーキングパウダー，氷，アイスクリーム用凝固剤，家庭用食肉軟化剤，酒かす，ホイップクリーム用安定剤」に対して、「トゥルシー」又はこれを加工したものを添加したり、あるいは、そのものとして用いたりすることが当然に考えられる。このため、本件商標は、これらの指定商品のうちトゥルシーを原材料とする指定商品に対しては、商標法第３条第１項第３号に該当し、「トゥルシー」を原材料としない指定商品に対しては、同法第４条第１項第１６号に該当する。  
　さらに、本件商標は、指定商品「コーヒー豆」に使用すると、商品の品質の誤認を生ずるおそれがあるため、商標法第４条第１項第１６号に該当し、万が一、コーヒー豆に「トゥルシー」を添加する場合があったとしても、同法第３条第１項第３号に該当する。  
イ　商標法第４条第１項第７号該当性について  
　甲第１号証ないし甲第５号証で紹介されるように、「トゥルシー」は少なくとも出願時のインドにおいて香草や薬草の名前として広く知られており、インドにおいて原材料名として「トゥルシー」が付された食品等を日本国内に輸入し、販売することは、現代社会において国際経済取引が極めて広範囲、かつ、高度に進展した状況に照らせば、当然に予測されることである。そして、被請求人のホームページの「代表者からのごあいさつ」の欄の記載によれば、被請求人は、「トゥルシー」がインドにおいて広く知られていることを知って、本件商標を登録出願し、登録を得たことがうかがえる（甲第８号証）。このような被請求人の行為に基づいて登録された本件商標が、国際商道徳に反するものであって、公正な取引秩序を乱すおそれがあるばかりではなく、国際信義に反し公の秩序を害するものであることは明らかである。　したがって、本件商標は、商標法第４条第１項第７号に該当する。  
ウ　なお、「ｏｃｙｍｕｍ　ｔｕｌｓｉ」の文字からなる商標であって、第２９類「野菜及び植物等を主原料とする粉末状・顆粒状・錠剤状・カプセル状・ブロック状・ゼリー状・液体の加工食品等」を指定商品とした過去の商標登録出願も、商標法第３条第１項及び同法第４条第１項を理由に拒絶されている（甲第７号証）。  
　また、被請求人は、そのホームページにおいて「トゥルシー」がシソ科メボウキ属の植物の名称であり、販売する商品はこれを原料にした茶である旨を掲載しており（甲第８号証）、「トゥルシー」が茶の原料であることを自ら認めている。  
　以上のとおり、本件商標は、査定時において特別顕著性が不備であるにもかかわらず登録されたものであり、独占適応性に欠けるばかりでなく、公益的見地からも具体的的確性に欠ける。  
エ　また、現在において「トゥルシー」は、香草、ハーブの一種として広く知られていることにかんがみれば、このような商標を特定人に独占使用させることは公益上適当でないといえる。例えば、インターネットの検索（ヤフー株式会社提供）によると、キーワード「トゥルシー　ハーブ」で約２０万件、キーワード「ｔｕｌｓｉ　ｈｅｒｂ」で約１００万件ヒットする（平成２４年４月２４日検索）。  
　このような状況の下でトゥルシーを原材料としない指定商品に対して「トゥルシー」が使用されれば、商品の品質の誤認を生ずるおそれがあることから、少なくとも現時点において商標法第４条第１項第１６号に該当する。  
オ　むすび  
　したがって、本件商標は、商標法第３条第１項第３号、同法第４条第１項第７号及び同第１６号に違反してされたものであるから、同法第４６条第１項第１号又は同第５号により、無効とすべきである。  
　  
３　被請求人の主張  
　被請求人は、前記２の請求人の主張に対し、何ら答弁するところがない。 
４　当審の判断   
（１）請求人提出の証拠によれば、次のとおりである。
　ア　甲第１号証は、「ＫＥＮＫＹＵＳＨＡ’Ｓ　ＮＥＷ　ＥＮＧＬＩＳＨ−ＪＡＰＡＮＥＳＥ　ＤＩＣＴＩＯＮＡＲＹ　新英和大辞典　第六版」（２００２年（平成１４年）３月、株式会社研究社発行）の写しであり、「ｔｕｌ−ｓｉ」の項に、「（インド）〔植物〕カミメボウキ（Ｏｃｉｍｕｍ　ｓａｎｃｔｕｍ）（シソ科メボウキ属の芳香のある多年草；インドではＶｉｓｈｎｕ神に献じるものとして神聖視されている）」と記載されている。 
　イ　甲第２号証は、１９８８年（昭和６３年）７月１日、木犀社発行の書籍「インド花綴り」の写しであり、「もっとも神聖な植物／カミメボウキ」の項に、「トゥルスィー（カミメボウキ）はヒンドゥー教のもっとも神聖な植物の一つになっている。」「葉はハッカのような香気を含み、香料として紅茶に入れられるが、薬用にも用途が広く、マラリヤを寄せつけないともいわれ、また生葉をもんで蜂蜜と飲めばかぜやせきに効くともいわれている。」と記載されている。
　ウ　甲第３号証は、１９９０年（平成２年）、「Ｗｏｒｌｄ　Ｈｅａｌｔｈ　Ｏｒｇａｎｉｚａｔｉｏｎ　Ｉｎｓｔｉｔｕｔｅ　ｏｆ　Ｍａｔｅｒｉａ　Ｍｅｄｉｃａ」発行の書籍「Ｍｅｄｉｃｉｎａｌ　Ｐｌａｎｔｓ　ｉｎ　Ｖｉｅｔ　Ｎａｍ」の写し及びその訳文であり、「Ｏｃｉｍｕｍ　ｓａｎｃｔｕｍ　Ｌ．」（カミメボウキ）の項に、英語名として「ｔｕｌｓｉ」の記載があるほか、薬の効用として抗菌、解熱、鎮痛の性質を有し、煎じ出したものを飲むか吸入する旨の記載がある。
　エ　甲第４号証は、１９９５年（平成７年）「Ｏｒｉｅｎｔ　Ｌｏｎｇｍａｎ　Ｌｉｍｉｔｅｄ」発行の書籍「Ｉｎｄｉａｎ　Ｍｅｄｉｃｉｎａｌ　Ｐｌａｎｔｓ　Ｖｏｌｕｍｅ４」の写し及びその訳文であり、「Ｏｃｉｍｕｍ　ｔｅｎｕｉｆｌｏｒｕｍ　Ｌｉｎｎ．」の項に、効用として、苦み、辛み、芳香を加え、・・・、解熱効果等があり、心臓病等に役に立つ旨の記載がある。
　オ　甲第５号証は、１９９６年（平成８年）９月３０日、（株）八坂書房発行の書籍「ネパール・インドの聖なる植物」の写しであり、「カミメボウキ　ラクシュミーの化身」の項に、「カミメボウキはサンスクリット語でトゥラシーｔｕｌａｓｉと呼ばれている。」「トゥラシー（カミメボウキ）Ｏｃｉｍｕｍ　ｓａｎｃｔｕｍはシソ科に属す。」の記載があるほか、発汗、気つけ、去たん等の効能がある旨の記載がある。
　カ　甲第６号証は、株式会社アーナンドが販売する「アーユルヴェーダ　トゥルシー茶」の包装紙であり、そこには「名称：トゥルシー茶」「原材料名：トゥルシー」「賞味期限：’０９．１．１０」の記載がある。
（２）商標法第３条第１項第３号及び同法第４条第１項第１６号該当性について
　上記（１）によれば、「トゥルシー／ｔｕｌｓｉ」は、インド原産のシソ科メボウキ属の植物であり、解熱、鎮痛など様々な効用があり、煎じ出して茶として飲まれるほか、香料としても使用されるものであることが認められる。そして、トゥルシーについて我が国を含む書籍において紹介されており、本件商標の指定商品である食品の分野においては、健康増進等に機能する商品の開発、販売が盛んに進められ、健康等に効果がある成分、植物等への関心が高いことからすると、「トゥルシー」は、上記植物を意味するものとして、取引者・需要者の間に相当程度認識されていたものということができる。
　そうとすれば、本件商標をその指定商品中「コーヒー及びココア，茶，調味料，香辛料，食品香料（精油のものを除く。），食用粉類，食用グルテン，穀物の加工品，ぎょうざ，サンドイッチ，しゅうまい，すし，たこ焼き，肉まんじゅう，ハンバーガー，ピザ，べんとう，ホットドッグ，ミートパイ，ラビオリ，菓子及びパン，即席菓子のもと，アイスクリームのもと，シャーベットのもと，アーモンドペースト」に使用したときは、当該商品がトゥルシーを原材料に使用した商品であると認識され、トゥルシーを原材料として使用していない上記商品については、当該商品がトゥルシーを原材料としてなるものとその品質について誤認を生ずるおそれがあり、また上記商品以外の本件指定商品に使用するときは、当該商品がトゥルシーであると商品の品質について誤認を生ずるおそれがあるというのが相当である。　
　なお、前記３のとおり、被請求人はこの点について何ら意見を述べていない。
　したがって、本件商標は、商標法第３条第１項第３号及び同法第４条第１項第１６号に該当する。
（３）商標法第４条第１項第７号該当性について、
　請求人が提出した証拠を見ても、本件商標が商標法第４条第１項第７号に該当するとすべき事情は見当たらない。
（４）むすび
　以上のとおり、本件商標は、商標法第３条第１項第３号及び同法第４条第１項第１６号に違反して登録されたものであるから、その登録は、同法第４６条第１項第１号に基づき、無効とすべきである。